(57)【特許請求の範囲】
【請求項１】
凹部が開口する一側面と、前記凹部の内壁面の反対側に位置して前記一側面に隣接する隣接面を有する光反射性の樹脂成形体と、前記樹脂成形体に保持された一対のリード電極と、を備える素子収容器と、
前記凹部内に収容され前記一対のリード電極と電気的に接続された発光素子と、
前記発光素子を覆うように前記凹部内に設けられた封止部材と、
前記一側面上に設けられた光吸収性の第１膜と、
前記封止部材の一部であり、前記一側面上の前記第１膜上に設けられた光透過性の第２膜と、を備え、
前記第２膜が前記第１膜上から前記隣接面上に延在している側面発光型の発光装置。
【請求項２】
前記隣接面は、上面と、前記上面の反対側に位置する下面と、を含み、
前記一対のリード電極は前記下面から外側に延出し前記下面に沿うように折れ曲がり、
前記第２膜は前記一側面上から前記上面上に延在している、請求項１に記載の発光装置。
【請求項３】
前記第２膜は前記一側面上から前記下面上に延在している、請求項２に記載の発光装置。
【請求項４】
前記第２膜が前記隣接面と接している、請求項１乃至３のいずれか一項に記載の発光装置。
【請求項５】
前記第２膜の母材がシリコーン樹脂又はその変性樹脂である、請求項１乃至４のいずれか一項に記載の発光装置。
【請求項６】
前記第１膜の母材がフェノール樹脂、エポキシ樹脂、ウレタン樹脂、アクリル樹脂、ビニル樹脂、ポリエステル樹脂、及びこれらの変性樹脂のうちのいずれかである、請求項１乃至５のいずれか一項に記載の発光装置。
【請求項７】
前記封止部材が前記発光素子に励起される蛍光物質を含有し、
前記蛍光物質が前記封止部材中において前記凹部の底面側に多く存在している請求項５又は６に記載の発光装置。
【請求項８】
前記第１膜が黒色であり、
前記樹脂成形体が白色である、請求項１乃至７のいずれか一項に記載の発光装置。
【請求項９】
請求項１乃至８のいずれか一項に記載の発光装置と、
前記発光装置の前記一側面に対向する一端面を有する導光板と、備える照明装置。
【請求項１０】
前記発光装置の前記第２膜が前記導光板の前記一端面に接触している、請求項９に記載の照明装置。
【発明の詳細な説明】
【技術分野】
【０００１】
本開示は、発光装置、及びその発光装置を用いた照明装置に関する。
【背景技術】
【０００２】
例えば特許文献１には、発光ダイオードの点灯時と非点灯時のコントラスト比を高めるために、明色のパッケージ成型体の発光観測面である上面を暗色に着色することが記載されている。
【先行技術文献】
【特許文献】
【０００３】
【特許文献１】特開２０１０−１７１１３０号公報
【発明の概要】
【発明が解決しようとする課題】
【０００４】
ところで、例えば導光板の一端面に入光させ板面から発光させるエッジライト方式のバックライト装置において、上記従来の発光ダイオードを光源として適用すると、暗色のインキが導光板の一端面に接触する場合がある。その場合、暗色のインキが導光板との摩擦によって剥がれ落ち、バックライト装置の品位若しくは性能を低下させる虞がある。
【０００５】
そこで、本発明の一実施の形態は、素子収容器の発光側面上に設けられる光吸収膜の脱落を抑制した、側面発光型の発光装置及びそれを用いた照明装置を提供することを目的とする。
【課題を解決するための手段】
【０００６】
本発明の一実施の形態の発光装置は、一側面を有する光反射性の樹脂成形体と、前記樹脂成形体に保持された一対のリード電極と、を備え、前記一対のリード電極を底に含む凹部が前記一側面に形成された素子収容器と、前記凹部内に収容され前記一対のリード電極と電気的に接続された発光素子と、前記一側面上に設けられた光吸収性の第１膜と、前記一側面上の前記第１膜上に設けられた光透過性の第２膜と、を備える、側面発光型の発光装置である。
【０００７】
本発明の一実施の形態の照明装置は、上記本発明の一実施の形態の発光装置と、前記発光装置の前記一側面に対向する一端面を有する導光板と、備える、照明装置である。
【発明の効果】
【０００８】
本発明の一実施の形態の発光装置によれば、光吸収膜の脱落を抑制することができる。したがって、本発光装置を光源に用いた照明装置は、品位又は性能を高く維持しやすい。
【図面の簡単な説明】
【０００９】
【図１】本発明の一実施の形態に係る照明装置の概略平面図である。
【図２Ａ】本発明の一実施の形態に係る発光装置の概略正面図である。
【図２Ｂ】図２ＡのＡ−Ａ断面における概略断面図である。
【図２Ｃ】図２ＡのＢ−Ｂ断面における概略断面図である。
【図２Ｄ】図２Ａに示す発光装置の実装側主面の概略平面図である。
【図２Ｅ】図２Ａに示す発光装置の実装側主面とは反対側の主面の概略平面図である。
【図３】本発明の一実施の形態に係る発光装置の一変形例を示す概略断面図である。
【発明を実施するための形態】
【００１０】
以下、発明の実施の形態について適宜図面を参照して説明する。但し、以下に説明する発光装置及び照明装置は、本発明の技術思想を具体化するためのものであって、特定的な記載がない限り、本発明を以下のものに限定しない。また、図面が示す部材の大きさや位置関係などは、説明を明確にするため、誇張していることがある。
【００１１】
なお、以下、可視波長域は波長が３８０ｎｍ以上７８０ｎｍ以下の範囲とし、青色域は波長が４２０ｎｍ以上４８０ｎｍ以下の範囲、緑色乃至黄色域は波長が５００ｎｍ以上５９０ｎｍ以下の範囲、赤色域は波長が６１０ｎｍ以上７５０ｎｍ以下の範囲とする。
【００１２】
＜実施の形態１＞
図１は、実施の形態１に係る照明装置１５０の概略平面図である。図２Ａは、実施の形態１に係る発光装置１００の概略正面図（概略前面図）である。図２Ｂは、図２ＡのＡ−Ａ断面における概略断面図である。図２Ｃは、図２ＡのＢ−Ｂ断面における概略断面図である。図２Ｄは、図２Ａに示す発光装置１００の実装側主面の概略平面図である。図２Ｅは、図２Ａに示す発光装置１００の実装側主面とは反対側の主面の概略平面図である。
【００１３】
図中、発光装置１００における、幅方向をＸ方向、厚さ方向をＹ方向、奥行き（前後）方向をＺ方向として示す。より詳細には、右方向をＸ＋方向、左方向をＸ−方向、上方向をＹ＋方向、下方向をＹ−方向、前方向をＺ＋方向、後ろ方向をＺ−方向としている。このＸ、Ｙ、Ｚ方向（軸）は其々、他の２方向（軸）と垂直な方向（軸）である。Ｙ−方向が当該発光装置１００の実装方向である。Ｚ＋方向が当該発光装置１００の主発光方向である。
【００１４】
図１に示すように、実施の形態１の照明装置１５０は、発光装置１００と、導光板１１０と、を備えている。また、照明装置１５０は、回路基板１２０を更に備えている。導光板１１０は、一端面１１０ａを有している。この照明装置１５０において、発光装置１００は、複数あるが、１つであってもよい。複数の発光装置１００は、回路基板１２０上に導光板の一端面１１０ａに沿って並置されている。複数の発光装置１００は其々、回路基板１２０のランド部に導電性の接合部材を介して接合されており、回路基板１２０の回路配線を通した給電により発光可能である。また、回路基板１２０の回路配線は、複数の発光装置１００を其々個別に駆動することが可能なように形成されている。
【００１５】
図２Ａ〜２Ｅに示すように、実施の形態１の発光装置１００は、側面発光型（「サイドビュー型」とも呼ばれる）の発光装置である。発光装置１００は、素子収容器１０と、発光素子４０，４２と、第１膜５０と、第２膜６０と、を備えている。また、発光装置１００は、封止部材７０を更に備えている。素子収容器１０は、樹脂成形体２０と、一対のリード電極３０，３２を備えている。樹脂成形体２０は、光反射性である。樹脂成形体２０は、一側面２０ａを有している。一対のリード電極３０，３２は、樹脂成形体２０に保持されている。樹脂成形体の一側面２０ａ（正面若しくは前面とも呼ぶ）には、一対のリード電極３０，３２を底に含む凹部１０ｒが形成されている。発光素子４０，４２は、素子収容器の凹部１０ｒ内に収容されている。発光素子４０，４２は、一対のリード電極３０，３２と電気的に接続されている。封止部材７０は、素子収容器の凹部１０ｒに充填されている。第１膜５０は、樹脂成形体の一側面２０ａ上に設けられている。第１膜５０は、光吸収性である。第２膜６０は、一側面２０ａ上の第１膜５０上に設けられている。第２膜６０は、光透過性である。なお、一対のリード電極３０，３２は、樹脂成形体の下面２０ｂから外側に延出して後方に且つ下面２０ｂに沿うように折れ曲がっている。また更に、左のリード電極３０は樹脂成形体の左側面２０ｄに沿うように、右のリード電極３２は樹脂成形体の右側面２０ｅに沿うように、其々折れ曲がっている。
【００１６】
そして、図１に示すように、照明装置１５０において、各発光装置１００は、樹脂成形体の一側面２０ａを導光板の一端面１１０ａに対向させて配置されている。より詳細には、照明装置１５０において、各発光装置１００の第２膜６０は、導光板の一端面１１０ａに接触している。なお、発光装置１００が、第２膜６０が導光板の一端面１１０ａから離間するように、配置されていたとしても、衝撃若しくは熱膨張などによって、第２膜６０が導光板の一端面１１０ａに一時的に接触することがある。
【００１７】
このような構成を有する発光装置１００は、一側面２０ａ上の第１膜５０上に第２膜６０が設けられているため、導光板の一端面１１０ａには第１膜５０より第２膜６０が優先的に接触しやすくなっており、発光装置１００と導光板の一端面１１０ａの接触による第１膜５０の脱落を抑制することができる。また、第２膜６０は、光透過性であるため、導光板の一端面１１０ａとの接触によって脱落したとしても、光吸収性の第１膜５０に比べて照明装置の品位又は性能への影響が小さい。したがって、本発光装置１００を光源に用いた照明装置１５０は、品位又は性能を高く維持しやすい。また、第２膜６０は、光透過性であるため、第１膜５０の光学的機能を活かしやすい。
【００１８】
なお、第１膜５０は樹脂成形体の一側面２０ａに接していることが好ましいが、第１膜５０と樹脂成形体の一側面２０ａとの間に別の部材が介在していてもよい。第１膜５０は、少なくとも樹脂成形体の一側面２０ａ上の凹部１０ｒ以外の領域上にあればよいが、樹脂成形体の一側面２０ａ上から一側面２０ａの隣接面上に延在していてもよい。なお、第１膜５０は、発光装置１００の発光効率の観点においては凹部１０ｒ内に形成されていないことが好ましいが、成膜精度上、凹部１０ｒの内壁面上に形成されることがある。第１膜５０による樹脂成形体の一側面２０ａの被覆範囲は、適宜選択できるが、樹脂成形体の一側面２０ａの凹部１０ｒ以外の領域の７５％以上であることが好ましく、９０％以上であることがより好ましく、全てであることがよりいっそう好ましい。第２膜６０は第１膜５０に接していることが好ましいが、第２膜６０と第１膜５０との間に別の光透過性の部材が介在していてもよい。第２膜６０による第１膜５０の被覆範囲は、適宜選択できるが、第１膜５０の表面積の２５％以上であることが好ましく、５０％以上であることがより好ましく、７５％以上であることがよりいっそう好ましい。また、第１膜５０及び第２膜６０は、単層膜が好ましいが、多層膜であってもよい。
【００１９】
以下、発光装置１００の好ましい形態について詳述する。
【００２０】
図２Ｃ，２Ｅに示すように、第２膜６０は、樹脂成形体の一側面２０ａ上から下面２０ｂ及び上面２０ｃ上に延在している。このように、第２膜６０が樹脂成形体２０の一側面２０ａ上から一側面２０ａの隣接面（凹部１０ｒの内壁面以外）上に延在していることが好ましい。これにより、第２膜６０を樹脂成形体２０上に保持しやすくなり、ひいては第１膜５０の脱落を抑制しやすい。このとき、特に、第２膜６０がその樹脂成形体の一側面２０ａの隣接面に接していることが好ましい。これにより、第２膜６０を樹脂成形体２０上により強固に保持しやすくなり、ひいては第１膜５０の脱落をよりいっそう抑制しやすい。また、発光装置１００において、第２膜６０が延在し得る樹脂成形体の一側面２０ａの隣接面としては、下面２０ｂ、上面２０ｃ、左側面２０ｄ、右側面２０ｅなどが挙げられる。このうち、第２膜６０は、一側面２０ａ上から、下面２０ｂ若しくは上面２０ｃ上に延在していることが好ましく、上面２０ｃ上に延在していることがより好ましい。樹脂成形体の下面２０ｂ及び上面２０ｃは薄型の素子収容器１０において第１膜５０及び第２膜６０を一側面２０ａ上から延伸させやすい面であり、特に上面２０ｃ上にある第２膜６０は発光装置１００の回路基板１２０への実装に影響を及ぼしにくいからである。また、上面２０ｃ上にある第２膜６０は、発光装置１００の実装の際のコレットなどの接触による第１膜５０の脱落を抑制することもできる。一側面２０ａの隣接面上における第２膜６０の延伸範囲は、適宜選択できるが、例えば、一側面２０ａを基準として、樹脂成形体２０の奥行き最大寸法の１％以上３０％以下が好ましく、３％以上２５％以下がより好ましい。
【００２１】
図２Ｂ，２Ｃに示すように、発光装置１００において、第２膜６０は、封止部材７０が凹部１０ｒから溢れて一側面２０ａ上の第１膜５０上へ膜状に延び広がった部分である。このように、第２膜６０が封止部材７０の一部であることは好ましい。これにより、第２膜６０を樹脂成形体２０上により強固に保持しやすくなり、ひいては第１膜５０の脱落をよりいっそう抑制しやすい。また、第２膜６０を封止部材７０の一部で形成することで、第２膜６０を簡便に形成することができる。
【００２２】
図２Ｂ，２Ｃに示すように、封止部材７０は、発光素子４０，４２に励起される蛍光物質８０を含有している。そして、蛍光物質８０は、封止部材７０中において、凹部１０ｒ開口側よりも凹部１０ｒの底面側に多く存在している。樹脂成形体の一側面２０ａにおける戻り光の反射を抑制する第１膜５０の技術的意義を考慮すると、第１膜５０上に存在する発光物質は少ないほど好ましく、第１膜５０上に発光物質が存在しないことが最も好ましい。したがって、封止部材７０中の蛍光物質８０が凹部１０ｒの底面側に多く存在していることで、例えば第２膜６０中など第１膜５０上への蛍光物質８０の配置が抑えられ、好ましい。このような蛍光物質８０の配置は、例えば遠心分離法などによって蛍光物質８０を強制的に凹部１０ｒの底面側に沈降させることで実現することができる。
【００２３】
図３は、実施の形態１に係る発光装置１００の一変形例を示す概略断面図である。図３に示すように、本変形例の発光装置において、第２膜６２は、封止部材７０とは別に設けられ、且つ一側面２０ａ上の第１膜５０上に設けられている。そして、封止部材７０は、凹部１０ｒから溢れて、第２膜６２を被覆している。このように、第２膜６２の少なくとも一部が封止部材７０に被覆されていることは好ましい。これにより、第２膜６２を樹脂成形体２０上に保持しやすくなり、ひいては第１膜５０の脱落を抑制しやすい。
【００２４】
以下、本発明の一実施の形態に係る発光装置及び照明装置における各構成要素について説明する。
【００２５】
（素子収容器１０）
素子収容器１０は、発光素子４０，４２を収容し、その発光素子４０，４２に外部から給電するための端子（電極）を有する容器である。素子収容器１０は、少なくとも、樹脂成形体２０と、リード電極３０，３２と、により構成される。素子収容器１０は、例えば「パッケージ」などと呼ばれるものであってよい。本実施の形態の素子収容器１０は、側面発光型の発光装置用である。
【００２６】
（樹脂成形体２０）
樹脂成形体２０は、素子収容器１０における容器の母体をなす。樹脂成形体２０は、素子収容器１０の外形の一部を構成している。樹脂成形体２０は、前方への光取り出し効率の観点から、発光素子４０，４２の発光ピーク波長における光反射率が、７０％以上であることが好ましく、８０％以上であることがより好ましく、９０％以上であることがよりいっそう好ましい。さらに、樹脂成形体２０は、白色であることが好ましい。樹脂成形体２０は、硬化若しくは固化前には流動性を有する状態つまり液状（ゾル状又はスラリー状を含む）を経る。樹脂成形体２０は、射出成形法、トランスファ成形法などにより成形することができる。
【００２７】
樹脂成形体２０の母材は、熱硬化性樹脂又は熱可塑性樹脂を用いることができる。なお、以下に示す樹脂は、その変性樹脂（ハイブリッド樹脂を含む）も含むものする。樹脂成形体の母材としては、射出成形法により成形しやすく、熱硬化性樹脂に比べて安価な観点において、熱可塑性樹脂が好ましい。熱可塑性樹脂としては、脂肪族ポリアミド樹脂、半芳香族ポリアミド樹脂、芳香族ポリフタルアミド樹脂、ポリシクロへキシレンジメチレンテレフタレート、ポリエチレンテレフタレート、ポリシクロヘキサンテレフタレート、液晶ポリマー、ポリカーボネート樹脂などが挙げられる。なかでも、脂肪族ポリアミド樹脂、ポリシクロヘキサンテレフタレート、ポリシクロへキシレンジメチレンテレフタレートのうちのいずれか１つが好ましい。また、熱硬化性樹脂は、熱可塑性樹脂に比べ、耐熱性及び耐光性に優れ、長寿命で、信頼性が高い観点で好ましい。熱硬化性樹脂としては、エポキシ樹脂、シリコーン樹脂、ポリビスマレイミドトリアジン樹脂、ポリイミド樹脂、ポリウレタン樹脂、不飽和ポリエステル樹脂などが挙げられる。なかでも、エポキシ樹脂、シリコーン樹脂、不飽和ポリエステル樹脂のうちのいずれか１つが好ましい。特に、不飽和ポリエステル樹脂及びその変性樹脂は、熱硬化性樹脂の優れた耐熱性及び耐光性を有しながら、射出成形法により成形可能であるため好ましい。具体的には、特開２０１３−１５３１４４号公報、特開２０１４−２０７３０４号公報、特開２０１４−１２３６７２号公報などに記載されている樹脂が挙げられる。樹脂成形体２０は、光反射性、機械的強度、熱伸縮性などの観点から、母材中に、以下のような白色顔料と充填剤を含有することが好ましいが、これに限定されない。
【００２８】
白色顔料は、酸化チタン、酸化亜鉛、酸化マグネシウム、炭酸マグネシウム、水酸化マグネシウム、炭酸カルシウム、水酸化カルシウム、珪酸カルシウム、珪酸マグネシウム、チタン酸バリウム、硫酸バリウム、水酸化アルミニウム、酸化アルミニウム、酸化ジルコニウムなどが挙げられる。白色顔料は、これらのうちの１種を単独で、又はこれらのうちの２種以上を組み合わせて用いることができる。なかでも、酸化チタンは、屈折率が比較的高く、光隠蔽性に優れるため、好ましい。白色顔料の形状は、適宜選択でき、不定形（破砕状）でもよいが、流動性の観点では球状が好ましい。白色顔料の粒径（以下「粒径」は例えば平均粒径Ｄ５０で定義される）は、適宜選択できるが、０．０１μｍ以上１μｍ以下であることが好ましく、０．１μｍ以上０．５μｍ以下であることがより好ましい。樹脂成形体２０中の白色顔料の含有量は、適宜選択でき、樹脂成形体２０の光反射性の観点では多いほうが良いが、流動性への影響も考慮して、２０ｗｔ％以上７０ｗｔ％以下であることが好ましく、３０ｗｔ％以上６０ｗｔ％以下であることがより好ましい。なお、「ｗｔ％」は、重量パーセントであり、全構成材料の総重量に対する各材料の重量の比率を表す。
【００２９】
充填剤は、酸化珪素、酸化アルミニウム、ガラス、チタン酸カリウム、珪酸カルシウム（ワラストナイト）、マイカ、タルクなどが挙げられる。充填剤は、これらのうちの１種を単独で、又はこれらのうちの２種以上を組み合わせて用いることができる。但し、充填剤は、上記白色顔料とは異なるものとする。特に、樹脂成形体２０の熱膨張係数の低減剤としては、酸化珪素（粒径は好ましくは５μｍ以上１００μｍ以下、より好ましくは５μｍ以上３０μｍ以下）が好ましい。強化剤としては、ガラス、チタン酸カリウム、珪酸カルシウム（ワラストナイト）が好ましい。中でも、珪酸カルシウム（ワラストナイト）又はチタン酸カリウムは比較的径が小さく、薄型の樹脂成形体２０に好適である。具体的には、強化剤の平均繊維径は、適宜選択できるが、例えば０．０５μｍ以上１００μｍ以下であり、０．１μｍ以上５０μｍ以下が好ましく、１μｍ以上３０μｍ以下がより好ましく、２μｍ以上１５μｍ以下がよりいっそう好ましい。強化剤の平均繊維長は、適宜選択できるが、例えば０．１μｍ以上１ｍｍ以下であり、１μｍ以上２００μｍ以下が好ましく、３μｍ以上１００μｍ以下がより好ましく、５μｍ以上５０μｍ以下がよりいっそう好ましい。強化剤の平均アスペクト比（平均繊維長／平均繊維径）は、適宜選択できるが、例えば２以上３００以下であり、２以上１００以下が好ましく、３以上５０以下がより好ましく、５以上３０以下がよりいっそう好ましい。充填剤の形状は、適宜選択でき、不定形（破砕状）でもよいが、強化剤としての機能の観点では繊維状（針状）若しくは板状（鱗片状）が好ましく、流動性の観点では球状が好ましい。樹脂成形体２０中の充填剤の含有量は、樹脂成形体２０の熱膨張係数、機械的強度などを考慮して適宜決めればよいが、１０ｗｔ％以上８０ｗｔ％以下が好ましく、３０ｗｔ％以上６０ｗｔ％以下がより好ましい（うち強化剤は５ｗｔ％以上３０ｗｔ％以下が好ましく、５ｗｔ％以上２０ｗｔ％以下がより好ましい）。
【００３０】
（リード電極３０，３２）
一対のリード電極３０，３２は、素子収容器１０における正負一対の端子（電極）を構成する。１つの素子収容器１０におけるリード電極は、少なくとも一対あって、３つ以上あってもよい。１つの素子収容器１０にある複数乃至全てのリード電極は、樹脂成形体２０の異なる方向に面する複数の外面から其々延出してもよいが、樹脂成形体２０の一方向に面する一外面（例えば下面２０ｂ）から延出していることが好ましい。リード電極３０，３２は、銅、アルミニウム、金、銀、タングステン、鉄、ニッケル、コバルト、モリブデン、又はこれらの合金の平板に、プレス（打ち抜きを含む）、エッチング、圧延など各種の加工を施したものが母体となる。リード電極３０，３２は、これらの金属又は合金の積層体で構成されてもよいが、単層で構成されるのが簡便で良い。特に、銅を主成分とする銅合金（燐青銅、鉄入り銅など）が好ましい。また、その表面に、銀、アルミニウム、ロジウム又はこれらの合金などの光反射膜が設けられていてもよく、なかでも光反射性に優れる銀又は銀合金が好ましい。特に、硫黄系光沢剤を用いた銀又は銀合金の膜（例えばめっき膜）は、膜の表面が平滑で、極めて高い光反射性が得られる。なお、この光沢剤中の硫黄及び／又は硫黄化合物は、銀又は銀合金の結晶粒中及び／又は結晶粒界に散在することになる（硫黄の含有量としては例えば５０ｐｐｍ以上３００ｐｐｍ以下）。光反射膜の光沢度は、適宜選択できるが、１．５以上であることが好ましく、１．８以上であることがより好ましい。なお、この光沢度は、ＧＡＭ（Ｇｒａｐｈｉｃ  Ａｒｔｓ  Ｍａｎｕｆａｃｔｕｒｉｎｇ）社製のｄｉｇｉｔａｌ  ｄｅｎｓｉｔｏｍｅｔｅｒ  Ｍｏｄｅｌ  １４４を用いて測定される値とする。リード電極３０，３２の厚さは、適宜選択できるが、例えば０．０５ｍｍ以上１ｍｍ以下が挙げられ、０．０７ｍｍ以上０．３ｍｍ以下が好ましく、０．１ｍｍ以上０．２ｍｍ以下がより好ましい。リード電極３０，３２は、例えばリードフレームの小片であってもよい。
【００３１】
（発光素子４０，４２）
発光素子４０，４２は、発光ダイオード（ＬＥＤ；Ｌｉｇｈｔ  Ｅｍｉｔｔｉｎｇ  Ｄｉｏｄｅ）素子などの半導体発光素子を用いることができる。発光素子４０，４２は、多くの場合に基板を有するが、少なくとも、種々の半導体で構成される素子構造と、正負（ｐｎ）一対の電極と、を有するものであればよい。特に、紫外〜可視域の発光が可能な窒化物半導体（ＩｎｘＡｌｙＧａ１−ｘ−ｙＮ、０≦ｘ、０≦ｙ、ｘ＋ｙ≦１）の発光素子が好ましい。発光素子４０，４２の発光ピーク波長は、発光効率、他の光源の光との混色関係、蛍光物質の励起効率などの観点から、青色域にあることが好ましく、４４５ｎｍ以上４６５ｎｍ以下の範囲がより好ましい。このほか、緑色〜赤色発光のガリウム砒素系、ガリウム燐系半導体の発光素子を含んでいてもよい。正負一対の電極が同一面側に設けられている発光素子４０，４２の場合、各電極をワイヤで一対のリード電極３０，３２と接続される（フェイスアップ実装）。また、各電極を導電性の接着部材で一対のリード電極３０，３２と接続されてもよい（フリップチップ実装（フェイスダウン実装））。正負一対の電極が互いに反対の面に各々設けられている対向電極構造の発光素子４０，４２の場合、下面電極が導電性の接着部材で一方のリード電極３０に接着され、上面電極がワイヤで他方のリード電極３２と接続される。１つの素子収容器１０に実装される発光素子の個数は１つでも複数でもよい。複数の発光素子４０，４２は、ワイヤにより直列又は並列に接続することができる。また、１つの素子収容器１０に、例えば青色、緑色、赤色発光の３つの発光素子、又は青色、緑色発光の２つの発光素子が実装されてもよい。
【００３２】
（第１膜５０）
第１膜５０は、導光板１１０内を導光し発光装置１００側へ戻ってきた光の樹脂成形体の一側面２０ａでの再反射を抑えることができる。このような第１膜５０の機能は、複数の発光装置を備えながら、発光させる発光装置を選択的に切り替えることがある照明装置において、特に有効である。第１膜５０は、樹脂成形体の一側面２０ａへの戻り光の吸収性の観点から、発光素子４０，４２の発光ピーク波長における光反射率が、５０％未満であることが好ましく、２５％以下であることがより好ましく、１０％以下であることがよりいっそう好ましい。さらに、第１膜５０は、黒色であることが好ましい。第１膜５０は、例えば、樹脂の母材と、その母材中に含有される顔料と、により構成することができる。第１膜５０の母材は、フェノール樹脂、エポキシ樹脂、ウレタン樹脂、アクリル樹脂、ビニル樹脂、ポリエステル樹脂、及びこれらの変性樹脂のうちのいずれかであることが好ましい。顔料としては、黒色顔料が好ましく、具体的にはカーボンブラック、酸化鉄（マグネタイト）のほか、クロム、マンガン、亜鉛のうちの少なくとも１種と、鉄と、の複合酸化物、又はクロム、マンガン、亜鉛のうちの少なくとも１種と、銅と、の複合酸化物などが好ましい。第１膜５０の厚さ（下限値）は、適宜選択できるが、光吸収性の観点から、０．００３ｍｍ以上であることが好ましく、０．００５ｍｍ以上であることがより好ましく、０．０１ｍｍ以上であることがよりいっそう好ましい。第１膜５０の厚さ（上限値）は、適宜選択できるが、脱落抑制並びに発光装置１００の奥行き寸法の観点から、０．０２ｍｍ以下であることが好ましく、０．０１５ｍｍ以下であることがより好ましく、０．０１２ｍｍ以下であることがよりいっそう好ましい。第１膜５０は、例えばローラによる転写、インクジェット印刷、又はオフセット印刷などにより形成することができる。なお、第１膜５０は、金型によって樹脂成形体２０と一体的に成形することも可能である。
【００３３】
（第２膜６０，６２）
第２膜６０，６２の表面は、発光装置１００の最外面、特に最前面を構成することが好ましい。第２膜６０，６２は、第１膜５０の光学的機能を活かす観点並びに照明装置１５０の品位若しくは性能への影響の観点から、発光素子４０，４２の発光ピーク波長における光透過率が、６０％以上であることが好ましく、７０％以上であることがより好ましく、８０％以上であることがよりいっそう好ましい。さらに、第２膜６０，６２は、透明であることが好ましく、無色透明であることがより好ましい。また、第２膜６０，６２（特にその母材）は、衝撃吸収などの観点から、第１膜５０（特にその母材）より弾性率が低いことが好ましい。第２膜６０，６２は、例えば、樹脂の母材のみ、又は樹脂の母材と上記光透過性を維持可能な程度の含有量の充填剤、により構成することができる。第２膜６０，６２の母材及び充填剤は、後述の封止部材７０と同じ材料を用いることができる。なかでも、第２膜６０，６２の母材は、シリコーン樹脂又はその変性樹脂であることが好ましい。また、封止部材７０とは別に設けられる第２膜６２の場合には、第２膜６２の母材は、第１膜５０の母材と同じ材料を用いることも好ましい。また、第２膜６２は、第１膜５０と同様の方法で形成することができる。なお、第２膜６０，６２は、発光物質を含有していないことが好ましい。第２膜６０，６２の厚さ（下限値）は、適宜選択できるが、第１膜５０及び自身の脱落抑制の観点から、０．００１ｍｍ以上であることが好ましく、０．００２ｍｍ以上であることがより好ましく、０．００３ｍｍ以上であることがよりいっそう好ましい。第２膜６０，６２の厚さ（上限値）は、適宜選択できるが、光透過性並びに発光装置１００の奥行き寸法の観点から、０．０１ｍｍ以下であることが好ましく、０．００７ｍｍ以下であることがより好ましく、０．００５ｍｍ以下であることがよりいっそう好ましい。
【００３４】
（封止部材７０）
封止部材７０は、発光素子４０，４２を封止して、埃や水分、外力などから保護する部材である。封止部材７０は、電気的絶縁性を有し、発光素子４０，４２から出射される光に対して光透過性（好ましくは発光素子４０，４２の発光ピーク波長における光透過率が６０％以上、より好ましくは７０％以上、よりいっそう好ましくは８０％以上）を有する部材であればよい。封止部材７０は、母材中に、少なくとも蛍光物質を含有することが好ましいが、これに限定されない。また、封止部材７０は、あることが好ましいが、必ずしも要るとは限らない。封止部材７０は、例えば、流動性を有する状態の材料を、ディスペンサなどを用いて素子収容器の凹部１０ｒに滴下（ポッティング）した後、硬化若しくは固化させることで形成することができる。また、封止部材７０は、金型を用いて成形してもよい。
【００３５】
封止部材７０の母材は、シリコーン樹脂、エポキシ樹脂、フェノール樹脂、ポリカーボネート樹脂、アクリル樹脂、ＴＰＸ樹脂、ポリノルボルネン樹脂、又はこれらの変性樹脂が挙げられる。なかでも、シリコーン系樹脂（シリコーン樹脂及びその変性樹脂）は、低弾性率で、耐熱性及び耐光性に特に優れるため好ましい。フェニル基を含むシリコーン系樹脂（メチル・フェニルシリコーン系樹脂〜ジフェニルシリコーン系樹脂）は、シリコーン系樹脂のなかでも耐熱性及びガスバリア性が比較的高く、好ましい。フェニル基を含むシリコーン系樹脂中の珪素原子に結合した全有機基のうちフェニル基の含有率は、例えば５ｍｏｌ％以上８０ｍｏｌ％以下であり、２０ｍｏｌ％以上７０ｍｏｌ％以下であることが好ましく、３０ｍｏｌ％以上６０ｍｏｌ％以下であることがより好ましい。
【００３６】
（蛍光物質８０）
蛍光物質８０は、発光素子４０，４２から出射される一次光の少なくとも一部を吸収して、一次光とは異なる波長の二次光を出射する。これにより、可視波長の一次光及び二次光の混色光（例えば白色光）を出射する発光装置とすることができる。蛍光物質８０は、以下に示す具体例のうちの１種を単独で、又は２種以上を組み合わせて用いることができる。緑色光乃至黄色光を発する蛍光体の具体例としては、イットリウム・アルミニウム・ガーネット系蛍光体（例えばＹ３（Ａｌ，Ｇａ）５Ｏ１２：Ｃｅ）、ルテチウム・アルミニウム・ガーネット系蛍光体（例えばＬｕ３（Ａｌ，Ｇａ）５Ｏ１２：Ｃｅ）、シリケート系蛍光体（例えば（Ｂａ，Ｓｒ）２ＳｉＯ４：Ｅｕ）、クロロシリケート系蛍光体（例えばＣａ８Ｍｇ（ＳｉＯ４）４Ｃｌ２：Ｅｕ）、βサイアロン系蛍光体（例えばＳｉ６−ｚＡｌｚＯｚＮ８−ｚ：Ｅｕ（０＜Ｚ＜４．２））などが挙げられる。赤色光を発する蛍光体の具体例としては、窒素含有アルミノ珪酸カルシウム（ＣＡＳＮ又はＳＣＡＳＮ）系蛍光体（例えば（Ｓｒ，Ｃａ）ＡｌＳｉＮ３：Ｅｕ）、マンガンで賦活されたフッ化珪酸カリウム系蛍光体（例えばＫ２ＳｉＦ６：Ｍｎ）がある。このほか、蛍光物質８０は量子ドットを含んでもよい。量子ドットは、粒径１ｎｍ以上１００ｎｍ以下程度の粒子であり、粒径によって発光波長を変えることができる。量子ドットは、例えば、セレン化カドミウム、テルル化カドミウム、硫化亜鉛、硫化カドミウム、硫化鉛、セレン化鉛、又はテルル化カドミウム・水銀などが挙げられる。
【００３７】
封止部材７０の充填剤は、酸化珪素、酸化アルミニウム、酸化ジルコニウム、酸化亜鉛などが挙げられる。封止部材７０の充填剤は、これらのうちの１種を単独で、又はこれらのうちの２種以上を組み合わせて用いることができる。特に、封止部材７０の熱膨張係数の低減剤としては、酸化珪素が好ましい。封止部材７０の充填剤の形状は、適宜選択できるが、不定形（破砕状）でもよいが、流動性の観点では球状が好ましい。封止部材７０中の充填剤の含有量は、適宜選択できるが、封止部材７０の熱膨張係数、流動性などを考慮して適宜決めればよいが、０．１ｗｔ％以上５０ｗｔ％以下が好ましく、１ｗｔ％以上３０ｗｔ％以下がより好ましい。また、封止部材７０の充填剤として、ナノ粒子（粒径が１ｎｍ以上１００ｎｍ以下の粒子）を用いることで、発光素子４０，４２の青色光など短波長の光の散乱（レイリー散乱を含む）を増大させ、蛍光物質８０の使用量を低減することもできる。このナノ粒子の充填剤としては、例えば酸化珪素又は酸化ジルコニウムが好ましい。
【００３８】
（ワイヤ）
ワイヤは、発光素子４０，４２の電極と、リード電極３０，３２と、を接続する導線である。具体的には、金、銅、銀、白金、アルミニウム、パラジウム又はこれらの合金の金属線（ここでいう「金属」は合金を含む）を用いることができる。特に、封止部材７０からの応力による破断が生じにくく、熱抵抗などに優れる金線又は金合金線が好ましい。また、光反射性を高めるために、少なくとも表面が銀又は銀合金で構成されていてもよい。ワイヤの線径は、適宜選択できるが、５μｍ以上５０μｍ以下が好ましく、１０μｍ以上４０μｍ以下がより好ましく、１５μｍ以上３０μｍ以下がよりいっそう好ましい。
【００３９】
（接着部材）
接着部材は、発光素子４０，４２をリード電極３０，３２に接着する部材である。絶縁性の接着部材は、エポキシ樹脂、シリコーン樹脂、ポリイミド樹脂、又はこれらの変性樹脂などを用いることができる。導電性の接着部材としては、銀、金、パラジウムなどの導電性ペーストや、錫−ビスマス系、錫−銅系、錫−銀系、金−錫系の半田などを用いることができる。
【００４０】
（導光板１１０）
導光板１１０は、光透過性の板状部材である。導光板１１０は、一端面１１０ａを光入射面とし板面の一方を光出射面とする。導光板の一端面１１０ａにおける発光装置１００と対向する部位は、平坦であることが好ましいが、凹凸が形成されていてもよい。導光板１１０は、厚みが全域で均一であってもよいし、発光装置１００から遠ざかるほど厚みが小さくなっていたり、入光端部が主要部より徐々に厚くなっていたり、するなど、厚みが部分的に異なっていてもよい。導光板１１０の母材は、発光装置１００から出射される光を透過可能（好ましくは透過率７５％以上、より好ましくは透過率８５％以上）な材料であればよい。具体的には、アクリル樹脂、ポリカーボネート樹脂、ＰＭＭＡ樹脂、ポリノルボルネン樹脂、ポリスチレン樹脂、又はガラスなどが挙げられる。
【００４１】
（回路基板１２０）
回路基板１２０は、以下のような基体と回路配線により構成することができる。基体は、リジッド基板であれば、樹脂（繊維強化樹脂を含む）、セラミックス、ガラス、金属、紙などを用いて構成することができる。樹脂としては、エポキシ、ガラスエポキシ、ビスマレイミドトリアジン（ＢＴ）、ポリイミドなどが挙げられる。セラミックスとしては、酸化アルミニウム、窒化アルミニウム、酸化ジルコニウム、窒化ジルコニウム、酸化チタン、窒化チタン、若しくはこれらの混合物などが挙げられる。金属としては、銅、鉄、ニッケル、クロム、アルミニウム、銀、金、チタン、若しくはこれらの合金などが挙げられる。基体は、可撓性基板（フレキシブル基板）であれば、ポリイミド、ポリエチレンテレフタレート、ポリエチレンナフタレート、液晶ポリマー、シクロオレフィンポリマーなどを用いて構成することができる。回路配線は、基体の少なくとも上面に形成され、基体の内部及び／若しくは側面及び／若しくは下面（裏面）にも形成されていてもよい。また、回路配線は、発光装置１００が実装されるランド部、外部接続用の端子部、これらを接続する引き出し配線部などを有することが好ましい。回路配線は、銅、鉄、ニッケル、タングステン、クロム、アルミニウム、銀、金、チタン、パラジウム、ロジウム、又はこれらの合金で形成することができる。これらの金属又は合金の単層でも多層でもよい。特に、放熱性の観点においては銅又は銅合金が好ましい。また、回路配線の表層には、半田など接合部材の濡れ性及び／若しくは光反射性などの観点において、銀、金、又はこれらの合金などの層が設けられていてもよい。また、回路基板１２０は、適宜、ソルダーレジスト、カバーレイなどの保護膜を有していてもよい。
【実施例】
【００４２】
以下、本発明に係る実施例について詳述する。なお、本発明は以下に示す実施例のみに限定されないことは言うまでもない。
【００４３】
＜実施例１＞
実施例１の発光装置は、図２Ａ〜２Ｅに示す例の発光装置１００の構造を有する側面発光型のＬＥＤである。この発光装置（素子収容器）の大きさは、幅４．２ｍｍ、奥行き１．０ｍｍ、厚さ０．６ｍｍである。
【００４４】
素子収容器は、樹脂成形体が第１リード電極（負極）及び第２リード電極（正極）と一体に成形されて成っている。素子収容器は、前面に横３．６ｍｍ、縦０．４３ｍｍ、深さ０．４３ｍｍの凹部を有している。樹脂成形体は、脂肪族ポリアミド樹脂の母材中に、３０ｗｔ％の酸化チタンの白色顔料と、１５ｗｔ％の繊維状の珪酸カルシウム（ワラストナイト）の充填剤を含有している。樹脂成形体は、射出成形法により成形されており、背面（後面）の略中心にゲート痕を有している。なお、ゲート痕とは、金型の樹脂注入口であるゲートで成形された突起である。第１リード電極及び第２リード電極は、銅合金の母体上に銀の反射膜がめっきで形成された厚さ０．１２５ｍｍの金属小片である。凹部の側面は樹脂成形体の表面で構成され、凹部の底面は樹脂成形体の表面と、第１リード電極及び第２リード電極の表面で構成されている。この凹部の底面を構成する第１リード電極及び第２リード電極の部位は、第１素子実装部及び第２素子実装部である。また、第１リード電極及び第２リード電極は、樹脂成形体の外側にある部位として、第１外部接続端子部及び第２外部接続端子部を有している。第１外部接続端子部及び第２外部接続端子部は、樹脂成形体の下面から延出しその下面に沿うように折り曲げられ、更に左／右側面に沿うように折り曲げられている。この第１外部接続端子部及び第２外部接続端子部の最下部は、樹脂成形体の最下部より０．０１５ｍｍ下位にある。
【００４５】
また、樹脂成形体の前面の凹部周囲の略全領域上には、第１膜が接して設けられている。第１膜は、厚さ０．０１ｍｍの黒インキの膜である。第１膜は、フェノール樹脂の母材中に、カーボンブラックの黒色顔料を含有して成っている。第１膜は、ローラによる転写法により形成されている。第１膜上には、第２膜が接して設けられている。第２膜は、後述の封止部材が、凹部から溢れて第１膜の略全領域上に膜状に延び広がった後、硬化して成っている。第２膜の厚さは、０．００５ｍｍである。第２膜は、蛍光物質を含有していない。
【００４６】
素子収容器の凹部内には、２つの発光素子が収容されている。この発光素子は、サファイア基板上に、窒化物半導体のｎ型層、活性層、ｐ型層が順次積層された、青色（発光ピーク波長約４５５ｎｍ）発光可能な、縦０．２４ｍｍ、横０．８５ｍｍ、厚さ０．１２ｍｍの略直方体のＬＥＤチップである。２つの発光素子は、第１素子実装部と第２素子実装部上に各々接着部材で接着されている。第１の発光素子のｎ電極と第１素子実装部、第１発光素子のｐ電極と第２発光素子のｎ電極、第２発光素子のｐ電極と第２素子実装部がワイヤにより各々接続されている。接着部材は、ジメチルシリコーン樹脂である。ワイヤは、線径２５μｍの銀−金合金線（銀約８０％／金約２０％）である。
【００４７】
素子収容器の凹部内には、封止部材が発光素子を被覆するように充填されている。封止部材は、メチル・フェニルシリコーン樹脂を母材とし、その母材中に緑色（発光ピーク波長約５４０ｎｍ）発光可能なβサイアロン系蛍光体と赤色（発光ピーク波長約６３０ｎｍ）発光可能なフッ化珪酸カリウム系蛍光体からなる蛍光物質と、０．４ｗｔ％の酸化珪素の充填剤と、を含有している。封止部材は、ディスペンサを用いて凹部に滴下（ポッティング）された後、加熱処理により硬化させることで形成される。封止部材の前面は、樹脂成形体の前面と略同一面（硬化収縮により若干の凹面）となっている。蛍光物質は、遠心分離法によって、封止部材中において、凹部の底面側に多く存在している。
【００４８】
以上のように構成された実施例１の発光装置は、実施の形態１の発光装置１００と同様の効果を奏することができる。
【産業上の利用可能性】
【００４９】
本発明の一実施の形態に係る発光装置は、液晶ディスプレイのバックライト装置、各種照明器具、大型ディスプレイ、広告や行き先案内などの各種表示装置、プロジェクタ装置、さらには、デジタルビデオカメラ、ファクシミリ、コピー機、スキャナなどにおける画像読取装置などに利用することができる。
【符号の説明】
【００５０】
１０…素子収容器（１０ｒ…凹部）
２０…樹脂成形体（２０ａ…一側面（正面）、２０ｂ…下面、２０ｃ…上面、２０ｄ…左側面、２０ｅ…右側面、２０ｆ…背面）
３０、３２…リード電極
４０，４２…発光素子
５０…第１膜
６０，６２…第２膜
７０…封止部材
８０…蛍光物質
１００…発光装置
１１０…導光板（１１０ａ…一端面）
１２０…回路基板
１５０…照明装置
【図１】
0006728764.tif 000002
【図２Ａ】
0006728764.tif 000003
【図２Ｂ】
0006728764.tif 000004
【図２Ｃ】
0006728764.tif 000005
【図２Ｄ】
0006728764.tif 000006
【図２Ｅ】
0006728764.tif 000007
【図３】
0006728764.tif 000008